(57)【要約】【課題】故障等した既設の太陽電池モジュールの一部を利用して新設の太陽電池モジュールを低コストで設置できる。【解決手段】故障等した既設の太陽電池モジュール４の周縁部に設けた既設枠体６を残して他の部品を撤去し、既設枠体６を固定した一対の取付部材１０に設置したブレース２２の上に新設の太陽電池モジュール１６を設置した。新設の太陽電池モジュール１６は既設枠体６より縦横寸法が小さい。一方の取付部材１０の上にブレース２２の一端を挟んで新設枠体１７の載置部をねじ１４で固定した。既設枠体６における一の既設枠辺部６ａの載置部の上に新設枠体１７における一の新設枠辺部１７ａの載置部を載置し、載置部をブレース２２と取付部材１０にねじ固定した。新設枠辺部１７ａに対向する新設枠辺部１７ｂは取付部材１０とブレース２２にそれぞれねじ固定した。【選択図】図３
2018046686.tif 000002
【特許請求の範囲】
【請求項１】
既設の太陽電池モジュールの周縁部に設けた既設枠体と、
前記既設枠体内に固定された新設の太陽電池モジュールとを備え、
前記既設枠体に前記新設の太陽電池モジュールの周縁部に設けた新設枠体を固定したことを特徴とする太陽電池モジュール。
【請求項２】
前記新設の太陽電池モジュールは前記既設枠体より小型であり、前記既設枠体の一辺または二辺の既設枠辺部に前記新設枠体の一辺または二辺の新設枠辺部が固定されている請求項１に記載された太陽電池モジュール。
【請求項３】
前記既設枠体と新設枠体は架台の取付部材を介して固定されている請求項１または２に記載された太陽電池モジュール。
【請求項４】
前記取付部材に固定する仲介部材を備え、前記仲介部材は前記既設枠体及び前記新設枠体の少なくとも一方にも固定されている請求項３に記載された太陽電池モジュール。
【請求項５】
前記仲介部材は複数の前記取付部材に連結するブレースである請求項４に記載された太陽電池モジュール。
【請求項６】
前記仲介部材は前記取付部材と前記新設枠体を連結する止め部材である請求項４に記載された太陽電池モジュール。
【請求項７】
既設の太陽電池モジュールの周縁部に設けた既設枠体を残して他の部分を撤去する工程と、
架台の取付部材に仲介部材を固定する工程と、
新設の太陽電池モジュールの周縁部に設けた新設枠体を前記仲介部材及び取付部材の少なくとも一方を介して前記既設枠体に固定する工程と、
を備えたことを特徴とする太陽電池モジュールの装着方法。
【発明の詳細な説明】
【技術分野】
【０００１】
本発明は、例えば平地や屋根等に設置される太陽電池モジュールを配列した太陽光発電ユニットにおける太陽電池モジュール及びその装着方法に関する。
【背景技術】
【０００２】
太陽電池モジュール(太陽電池パネル)をアレイ状に配列させた太陽光発電ユニットとして例えば特許文献１に記載されたものが提案されている。この太陽光発電ユニットは架台上に複数の太陽電池モジュールを配列したものであり、太陽電池モジュールにおける太陽電池モジュール本体の四辺を支持する枠体の裏面に２本の枠体の支持点同士の間に補強部材を連結している。これによって、太陽電池モジュール本体への荷重によるたわみを抑制できるとしている。
【０００３】
また、特許文献２では、外枠内に太陽電池モジュールを取り付けた内枠をスライドによって取り付け取り外し可能とし、収納した状態でビス等によって固定可能とした。太陽電池モジュールを取り外すことで点検や修理等を行える。また、特許文献３では太陽電池モジュール本体の周辺部を四辺の枠体に受け入れ、枠体にカバーを取り付けて太陽電池モジュール本体を固定している。
【先行技術文献】
【特許文献】
【０００４】
【特許文献１】特開２０１４−６６０４５号公報
【特許文献２】特開２０００−２７３９５号公報
【特許文献３】特開２００１−２９５４３７号公報
【発明の概要】
【発明が解決しようとする課題】
【０００５】
しかしながら、上述した特許文献１〜３に記載された太陽電池モジュールでは、故障や破損等した太陽電池モジュールを新設のものに交換する場合、枠部と太陽電池モジュール本体を含む太陽電池モジュール全体を交換する必要があった。しかも、既設の太陽電池モジュールを架台から取り外して新たな太陽電池モジュールを架台に設置するため、着脱作業に手間がかかる上に交換部品数が多いためにコスト高になる欠点があった。
また、新設の太陽電池モジュールの寸法が既設の太陽電池モジュールと異なると取り付けが困難であった。
【０００６】
本発明は、このような事情に鑑みてなされたものであり、故障等した既設の太陽電池モジュールの一部を利用して新設の太陽電池モジュールを低コストで設置できるようにした太陽電池モジュール及び太陽電池モジュールの装着方法を提供することを目的とする。
【課題を解決するための手段】
【０００７】
本発明による太陽電池モジュールは、既設の太陽電池モジュールの周縁部に設けた既設枠体と、既設枠体内に固定された新設の太陽電池モジュールとを備え、既設枠体に新設の太陽電池モジュールの周縁部に設けた新設枠体を固定したことを特徴とする。
本発明によれば、故障や破損等した既設の太陽電池モジュールの既設枠体を残して他の部品を撤去し、新設の太陽電池モジュールの新設枠体を既設枠体に固定できるため、新設の太陽電池モジュールの取り付けが容易であり、しかも予め架台に固定された既設枠体を用いて固定できるため、既設の太陽電池モジュールと大きさの異なる新設の太陽電池モジュールを容易に且つ低コストで取り付けできる。
【０００８】
また、新設の太陽電池モジュールは既設枠体より小型であり、既設枠体の一辺または二辺の既設枠辺部に新設枠体の一辺または二辺の新設枠辺部が固定されていてもよい。
これによって、新設の太陽電池モジュールを既設枠体内に取り付けできる。
【０００９】
また、既設枠体と新設枠体は架台の取付部材を介して固定されていてもよい。
架台の取付部材を介して新設枠体を既設枠体に固定できるため、強固な固定ができる。
【００１０】
また、取付部材に固定する仲介部材を備え、仲介部材は既設枠体及び新設枠体の少なくとも一方にも固定されていてもよい。
仲介部材によって取付部材を補強して既設枠体または新設枠体を固定できる。
【００１１】
また、仲介部材は複数の取付部材に連結するブレースであってもよい。
【００１２】
また、仲介部材は取付部材と新設枠体を連結する止め部材であってもよい。
新設枠体のねじ穴が取付部材から外れていても止め部材を介して新設枠体と取付部材を固定できる。  
【００１３】
本発明による太陽電池モジュールの装着方法は、既設の太陽電池モジュールの周縁部に設けた既設枠体を残して他の部分を撤去する工程と、架台の取付部材に仲介部材を固定する工程と、新設の太陽電池モジュールの周縁部に設けた新設枠体を仲介部材及び取付部材の少なくとも一方を介して既設枠体に固定する工程と、を備えたことを特徴とする。
【発明の効果】
【００１４】
本発明による太陽電池モジュール及びその装着方法によれば、故障等した既設の太陽電池モジュールの既設枠体を残して撤去し、新設の太陽電池モジュールの新設枠体を既設枠体に固定できるため、新設の太陽電池モジュールの取り付けが容易であり、しかも予め架台に固定された既設枠体を用いて新設の太陽電池モジュールを固定できるため製造コストの上昇を抑制できる。
また、既設の太陽電池モジュールと大きさの異なる新設の太陽電池モジュールを容易に取り付け固定できる。
【図面の簡単な説明】
【００１５】
【図１】本発明の実施形態による太陽電池モジュールを備えた太陽光発電ユニットの正面図である。
【図２】図１に示す太陽光発電ユニットの太陽電池モジュールの配列を示す平面図である。
【図３】既設の太陽電池モジュールの既設枠体に新設の太陽電池モジュールを固定した要部平面図である。
【図４】太陽電池モジュールの既設枠体を取付部材に固定した図３のＡ−Ａ線断面図である。
【図５】既設枠体に新設の太陽電池モジュールの新設枠体を固定した図３のＢ−Ｂ線断面図である。
【図６】既設枠体に新設の太陽電池モジュールの新設枠体を載置した図３のＣ−Ｃ線断面図である。
【図７】新設枠体とブレースを固定した図３のＤ−Ｄ線断面図である。
【図８】取付部材とブレースを固定した図３のＥ−Ｅ線断面図である。
【図９】実施形態の第一変形例による太陽電池モジュールの平面図である。
【図１０】第二変形例による太陽電池モジュールの平面図である。
【図１１】第三変形例による太陽電池モジュールの平面図である。
【図１２】既設枠体と新設枠体の変形例を示す要部断面図である。
【発明を実施するための形態】
【００１６】
以下、本発明の実施形態による太陽光発電ユニットの太陽電池モジュール及びその装着方法について図１から図５に基づいて説明する。
本発明の実施形態による太陽光発電ユニット１は、図１及び図２に示すように、例えば地表面等の設置面２に設置された架台３の上部に複数の太陽電池モジュール４を配列した太陽電池アレイ５を配設している。本実施形態では太陽電池アレイ５は例えば東西方向に傾斜する傾斜面からなる板状に形成され、二組の太陽電池アレイ５は互いに傾斜方向が東方向と西方向に異なる山型または屋根型に設置されているが、同一方向に傾斜していてもよい。
なお、本発明による太陽光発電ユニット１は東西方向に代えて南北方向に設置してもよい。
【００１７】
架台３は設置面２上に所定間隔で設置された基部７の上部に支持部材８が固定され、その上部に梁部材９が連結されている。各支持部材８は例えばトラス構造であるが、支柱であってもよい。支持部材８は太陽電池アレイ５の傾斜方向に離間して例えば２組設置され、その一方は太陽電池アレイ５の下端部５ａ付近に設置された支持部材８Ａであり、他方は太陽電池アレイ５の上端部５ｂよりも下端部５ａ側に寄った位置に設置された支持部材８Ｂである。梁部材９の上部には垂木をなす取付部材１０がその側面に連結部材１１を介して傾斜状態で固定されている。梁部材９と取付部材１０は平面視で互いに直交する方向に配列されている。
【００１８】
山型に形成された一対の太陽電池アレイ５及び取付部材１０の傾斜姿勢に関し、各上端部５ｂの間にわずかな隙間がある。そして、これら各上端部５ｂから両側の支持部材８Ｂまでの間は作業者が立って歩行や保守点検作業等をできる程度の高さと横幅を有する保守スペース１２を形成している。
保守スペース１２において、上端部５ｂの高さは例えば１８０ｃｍ〜２３０ｃｍ程度、支持部材８Ｂの高さは例えば１００ｃｍ〜１５０ｃｍ程度、一対の支持部材８Ｂ間の距離は例えば１５０ｃｍ程度である。下端部５ａは設置面２から例えば３７ｃｍ程度の高さである。
【００１９】
太陽光発電ユニット１は、例えば一対の太陽電池アレイ５が取付部材１０の傾斜角度に沿って東西方向に対向して設置されている。太陽電池アレイ５は、取付部材１０の傾斜角度に沿って適宜角度、例えば１５°の傾斜角を有しているために日中の午前午後に亘って太陽光を受光することができる。山型をなす一対の太陽電池アレイ５はその上端部５ｂ同士がわずかな間隙を介して対向して配設されている。
【００２０】
図２において、所定間隔で配列された取付部材１０には、その上端部５ｂから下端部５ａに向けて複数枚、例えば６枚の太陽電池モジュール４が図３に示す略四角形枠状の枠部(以下、これを既設枠体６というものとする)でねじ１４によってそれぞれ２本の取付部材１０上に固定されている。
そして、太陽電池アレイ５の一部の既設の太陽電池モジュール４が故障または破損したものとして新たな太陽電池モジュール１６に交換する。
【００２１】
本実施形態では、交換に際し、図３に示すように、破損等した太陽電池モジュール４の既設枠体６を残して受光面を含む太陽電池モジュール本体を除去して、新たな太陽電池モジュール１６を設置して、略四角形枠状の枠部(以下、これを新設枠体１７という)を既設枠体６に固定するものとした。即ち、既設枠体６を再生フレームとして再利用する。
既設枠体６には対向する既設枠辺部６ａ、６ｂに各一対のねじ穴Ｐ１が予め形成されている。新設枠体１７には対向する新設枠辺部１７ａ、１７ｂに各一対のねじ穴Ｐ２が予め形成されている。しかも、太陽電池モジュール４、１６の大きさに応じてねじ穴Ｐ１の間隔とねじ穴Ｐ２の間隔は相違している。
【００２２】
なお、既設の太陽電池モジュール４の既設枠体６は図３及び図４に示すように、対向する２辺の既設枠辺部６ａ、６ｂが２本の取付部材１０にそれぞれねじ１４とナット１５で固定されている。取付部材１０は断面略コの字状に形成されている（図８参照）。
既設枠体６は、図４に示すように、既設の太陽電池モジュール４の略板状の太陽電池モジュール本体１３を嵌合するための断面略コの字状の受け部１８ａと、受け部１８ａの下側に形成した中空枠部１９ａと、中空枠部１９ａの下面を内側に延長させた載置部２０ａとからなる断面形状で四辺が形成されている。載置部２０ａは取付部材１０の上に設置され、取付部材１０の上面部の裏側から載置部２０ａにねじ１４を締め込んでナット１５で固定されている。なお、取付部材１０の上面部には予め所定間隔でねじ穴が形成されているが、捩じ込み時に形成してもよい。
【００２３】
しかも、本実施形態では、図３に示すように、既設枠体６内に新たな太陽電池モジュール１６が取り付けられている。この新設の太陽電池モジュール１６は既設の太陽電池モジュール４よりも受光面積が小さく縦横方向の寸法が小さい小型のものとする。
一般に、既設の太陽光発電ユニット１は設置後、数年〜１０数年の年月が経過していずれかの太陽電池モジュール４が故障することがある。その場合、故障した太陽電池モジュール４の交換時期には、技術の進歩により設置時より小さい大きさの太陽電池モジュール１６で同程度以上の発電出力をだせるように進歩している。そのため、本実施形態では新設の太陽電池モジュール１６として故障等した太陽電池モジュール４より縦横寸法の小さい小型のものを設置した。
【００２４】
次に既設枠体６と新設の太陽電池モジュール１６の固定構造について図３乃至図６により説明する。新設の太陽電池モジュール１６は既設の太陽電池モジュール４と同様に略四角形板状で形成され、縦横方向の寸法が比較的短く形成された小型のものである。そのため、新設の太陽電池モジュール１６は既設枠体６内に納められている。また、新設の太陽電池モジュール１６の下面側には対向する２本の取付部材１０に斜めに連結されたブレース２２が設置され、両端部に形成したねじ穴Ｐ３を通してねじ１４によって連結されている。
図５に示すように、ブレース２２の一端は取付部材１０と新設枠体１７の間に挟持されてねじ１４で連結されている。既設枠体６と新設枠体１７の断面形状はほぼ同一であるが、両者を区別するために、新設枠体１７の構成を受け部１８ｂ、中空枠部１９ｂ、載置部２０ｂと表示する。
【００２５】
図３において、既設枠辺部６ａ、６ｂの各２つのねじ穴Ｐ１は一対の取付部材１０上に位置し、ねじ１４でそれぞれ固定されている。一方、新設枠辺部１７ａ、１７ｂの各ねじ穴Ｐ２は一方だけ取付部材１０上に位置し、他方は取付部材１０から外れた位置にある。
図５において、既設枠体６の一方の既設枠辺部６ａは載置部２０ａと一方の取付部材１０の上面部とがねじ１４によって連結されている。新設枠体１７の新設枠辺部１７ａは既設枠辺部６ａの載置部２０ａの上に載置され、中空枠部１９ａに当接して設置されている。
しかも、ねじ１４及びナット１５との干渉を避けるために中空枠部１９ｂに凹部１９ｂａが形成されている。そして、取付部材１０の上面部とブレース２２と新設枠辺部１７ｂの載置部２０ｂとが積層されてねじ１４とナット１５で連結されている。
【００２６】
図６に示すように、他方の取付部材１０の上には既設枠辺部６ａが設置され、その載置部２０ａがねじ１４で連結されている。しかも、載置部２０ａの上には新設枠辺部１７ａが載置され、図５と同様の構成を有している。しかも、新設枠辺部１７ａはねじ穴Ｐ２の位置がずれているため載置部２０ｂはねじ１４で固定されていない。
そして、図７に示すように、他方の新設枠辺部１７ｂはブレース２２上に載置され、ブレース２２と載置部２０ｂとがねじ穴Ｐ２、Ｐ３を通してねじ１４とナット１５によって固定されている。新設枠辺部１７ｂの載置部２０ｂは一方の取付部材１０上に載置されて、取付部材１０の上面部から他方のねじ穴Ｐ２を通してねじ１４とナット１５で固定されている。また、図８に示すように、ブレース２２の他端部は取付部材１０の上で上面部とねじ１４で固定されている。
【００２７】
本実施形態において、既設の太陽電池モジュール４と新設の太陽電池モジュール１６はその大きさが相違しており、対向する既設枠辺部６ａ、６ｂはねじ穴Ｐ１がそれぞれ取付部材１０上に位置してねじ１４で固定されている。一方、対向する新設枠辺部１７ａ、１７ｂはその長さに応じてねじ穴Ｐ２が形成されているため、一方のねじ穴Ｐ２は取付部材１０上に位置してその上面部とねじ１４で固定されるが、他方のねじ穴Ｐ２は取付部材１０から外れた位置にある。
そのため、他方のねじ穴Ｐ２の１つはブレース２２にねじ１４で固定することで、新設の太陽電池モジュール１６の固定強度を確保している。しかもブレース２２の両端はそれぞれ取付部材１０にねじ１４で固定されている。
【００２８】
本実施形態による太陽光発電ユニット１は上述した構成を備えており、次に既設の太陽電池モジュール４の補修等による交換方法ついて説明する。
即ち、図２に示すように、太陽光発電ユニット１の太陽電池アレイ５の一部の太陽電池モジュール４が故障や破損等した場合、図３及び図４に示すようにその四角形枠状の既設枠体６を除いて太陽電池モジュール本体１３等の内部の部品を撤去する。残った既設枠体６は対向する既設枠辺部６ａ、６ｂが一対の取付部材１０にねじ固定されている。
【００２９】
次に一対の取付部材１０間に斜めにブレース２２を設置し、ブレース２２の他端を取付部材１０の上面部とねじ１４で固定する。次いで、既設枠体６内の一対の取付部材１０上に新設の太陽電池モジュール１６を設置する。
その際、図３及び図５に示すように、新設枠体１７の一方の新設枠辺部１７ａを既設枠辺部６ａの載置部２０ａの上に載置させ、その載置部２０ｂを取付部材１０の上面部との間にブレース２２の一端部を挟んでねじ１４で固定する。また、図７に示すように、他方の新設枠辺部１７ｂをブレース２２の中間部に載置させてねじ１４で固定する。
このようにして新設の太陽電池モジュール１６を既設枠体６を介して取付部材１０に固定できる。
【００３０】
上述したように、本実施形態による太陽光発電ユニット１の太陽電池モジュール１６及びその装着方法によれば、故障等した既設の太陽電池モジュール４の既設枠体６を残して残りの部品を撤去し、小型で新設の太陽電池モジュール１６の新設枠体１７を既設枠体６内に固定できるため、新設の太陽電池モジュール１６の取り付けが容易であり、周囲の他の既設の太陽電池モジュール４に影響を与えることなく交換作業を行える。
しかも、予め架台３の取付部材１０に固定された既設枠体６を用いて新設の太陽電池モジュール１６を固定できるため取り付け作業が簡単であり、製造コストの上昇を抑制できる。
【００３１】
なお、本発明は上述した実施形態による太陽光発電ユニット１の太陽電池モジュール１６及びその装着方法に限定されることはなく、本発明の要旨を変更しない範囲で適宜の変更や置換等が可能であり、これらはいずれも本発明に含まれる。以下に、本発明の変形例等について説明するが、上述した実施形態と同一または同様な部分や部材には同一の符号を用いて説明を省略する。
例えば、上述した実施形態では、取付部材１０、既設枠体６、新設枠体１７、ブレース２２には予め所定位置にねじ穴を形成したが、これに代えて固定時にねじ穴を形成してもよい。
【００３２】
図９乃至図１１は上述した実施形態の変形例による太陽電池モジュールを示すものである。
図９に示す第一変形例では、第一実施形態における太陽電池モジュール１６の交換構造と比較して、ブレース２２の設置位置が異なる。本第一変形例では、ブレース２２は一端部を他方の取付部材１０の上面部にねじ固定し、中間部を新設枠体１７の新設枠辺部１７ｂにねじ固定して連結する。そして、ブレース２２の他端部は一方の取付部材１０の上面部と既設枠辺部６ｂの載置部２０ａとの間に挟んでねじ１４とナット１５で固定した。
本第一変形例では、ブレース２２の他端部を既設枠辺部６ｂと取付部材１０との間に介在させて一体にねじ固定できる。
【００３３】
図１０に示す第二変形例では、第一実施形態における太陽電池モジュール１６の交換構造と比較して、ブレース２５の形状と設置位置が異なる。本第二変形例では、ブレース２５は略くの字状に屈曲しており、その一端部を他方の取付部材１０の上面部と既設枠辺部６ａの載置部２０ａとの間に介在させ、上面部からねじ１４を締め込んでナット１５で締め付け固定した。そして、ブレース２５の他端部は上述の第一変形例と同様に一方の取付部材１０の上面部と既設枠辺部６ｂの載置部２０ａとの間に挟んでねじ１４とナット１５で固定した。しかも、ブレース２５の中間部は新設枠体１７の新設枠辺部１７ｂの載置部２０ｂとねじ１４で固定した。
【００３４】
更に、新設枠辺部１７ｂの既設のねじ穴Ｐ２が一方の取付部材１０上に位置するため、ねじ１４で上面部と載置部２０ｂをねじ穴Ｐ２を通してねじ１４とナット１５で固定した。
本第二変形例によれば、１枚のブレース２５を折り曲げ形成することで、対向する既設枠辺部６ａ、６ｂに固定して、その上で新設の太陽電池モジュール１６を新設枠体１７で固定できるため、新設の太陽電池モジュール１６の保持強度が高くなる。
【００３５】
図１１に示す第三変形例では、ブレース２２、２５を設置しない点で上述の実施形態や他の変形例や実施形態の設置位置が異なる。本第三変形例では、一対の取付部材１０と既設枠体６の各既設枠辺部６ａ及び既設枠辺部６ｂとの各交差部に略Ｌ字状の止め金具２７を設置した。なお、止め金具２７の両端部にはねじ穴Ｐ３が予め形成されている。
そして、既設枠体６の対向する既設枠辺部６ａ、６ｂに形成されたねじ穴Ｐ１を通して取付部材１０の上面部と既設枠辺部６ａ、６ｂの載置部２０ａとをねじ１４とナット１５で固定している。
【００３６】
しかも、既設枠体６内に小型で新設の太陽電池モジュール１６を設置する際、新設枠体１７は比較的小型であるため、既設枠辺部６ａ、６ｂと新設枠辺部１７ａ、１７ｂとに予め設置したねじ穴Ｐ１、Ｐ２の位置がずれている。即ち、既設枠辺部６ａ、６ｂのねじ穴Ｐ１は取付部材１０上に位置するが、新設枠辺部１７ａ、１７ｂのねじ穴Ｐ２は取付部材１０から外れた位置になる。
【００３７】
そのため、取付部材１０の上面部と既設枠辺部６ａ，６ｂの載置部２０ａとの間に止め部材としての止め金具２７の一端部を介在させてねじ１４とナット１５で固定し、止め金具２７の他端部を新設枠辺部１７ａ、１７ｂの載置部２０ｂに重ねてねじ１４とナット１５で固定した。なお、止め金具２７の両端部には予めねじ穴Ｐ３が形成されている。
これによって、新設の太陽電池モジュール１６は対向する新設枠辺部１７ａ、１７ｂの既設の一対のねじ穴Ｐ２の下部に設けた止め金具２７を介して既設枠体６及び取付部材１０に堅固にねじ固定できる。
【００３８】
また、図１２は既設の太陽電池モジュール４の変形例による既設枠体２９と新設枠体３０を示すものである。これらの対向する既設枠辺部２９ａ、２９ｂ、新設枠辺部３０ａ、３０ｂは例えば断面略Ｅ字状に形成されていてもよい。この場合、既設枠辺部２９ａ、２９ｂ、新設枠辺部３０ａ、３０ｂの上側の断面コの字状の受け部３１ａ、３１ｂで太陽電池モジュール本体１３を嵌合させ、下側の下面部３２ａ、３２ｂで取付部材１０の上面部やブレース２２，２５等とねじ１４とナット１５で固定してもよい。なお、図１２（ａ）は実施形態の図４に相当する構成であり、図１２（ｂ）は同じく図５に相当する構成を示している。
【００３９】
なお、上述した実施形態や変形例等では、既設枠体６の一辺の既設枠辺部６ａに新設枠体１７の一辺の新設枠辺部１７ａをねじ１４で連結固定したが、連結固定部は必ずしも一辺である必要はなく、交差する二辺同士をねじ１４で連結固定してもよい。新設枠辺部１７ａのねじ穴Ｐ２が取付部材１０からずれたとしても、少なくとも既設枠体６の載置部２０ａを長く設定して新設枠体１７の載置部２０ｂと重ねてねじ１４で連結固定してもよい。
また、図５において、既設枠体６の載置部２０ａを新設枠体１７の載置部２０ｂの下に延ばしてねじ穴Ｐ１、Ｐ２を重ねる構成を採用することで、既設枠体６の載置部２０ａと新設枠体１７の載置部２０ｂを直接ねじ１４で連結固定できる。
また、ブレース２２，２５と止め金具２７は仲介部材に含まれる。
【符号の説明】
【００４０】
１  太陽光発電ユニット
３  架台
４  既設の太陽電池モジュール
６、２９  既設枠体
６ａ、６ｂ，２９ａ、２９ｂ  既設枠辺部
１０  取付部材
１３  太陽電池モジュール本体
１４  ねじ
１５  ナット
１６  新設の太陽電池モジュール
１７  新設枠体
１７ａ、１７ｂ、３０ａ、３０ｂ  新設枠辺部
１８ａ、１８ｂ、３１ａ、３１ｂ  受け部
１９ａ、１９ｂ  中空枠部
２０ａ、２０ｂ  載置部
２２、２５ブレース
２７  止め金具
Ｐ１、Ｐ２、Ｐ３  ねじ穴
【図１】
2018046686.tif 000003
【図２】
2018046686.tif 000004
【図３】
2018046686.tif 000005
【図４】
2018046686.tif 000006
【図５】
2018046686.tif 000007
【図６】
2018046686.tif 000008
【図７】
2018046686.tif 000009
【図８】
2018046686.tif 000010
【図９】
2018046686.tif 000011
【図１０】
2018046686.tif 000012
【図１１】
2018046686.tif 000013
【図１２】
2018046686.tif 000014